(57)【要約】【課題】従来の加湿器では、見えない部分のフィルターやタンクにカビが生し、不衛生になることもあった。近年はコンパクトな加湿器などあるが、本発明品のような衛生的で簡単な、しかも各部屋に備えても安価で維持費を必要としない加湿器はなかった。冬季は暖房を入れるため室内は乾燥し、風邪をひきやすく又喉を痛めがちであるが、其の、冷暖房機の近傍に置くことにより一層効果が増すのである。どこでも手軽に置ける。電気などのエネルギーを必要としない、環境に優しい自然気化の簡易加湿器を提供する。【解決手段】水補給容器(１)の側面下方の一部に容器(２)の高さを超えない開口部（１a ）を設け、該水補給容器(１)を載置可能な、水を蓄える受け皿となる容器(２)と、水補給容器(１)を覆うとともに周縁部が、上記受け皿の底部に達する大きさを有する吸水性部材(３)とからなり、吸水性部材と水補給容器(１)は、その頂上部(１b)において固定可能な係止材(４)を双方又は片方に備えた簡易加湿器を提供するものである。【選択図】    図８
2011058672.tif 000002
【特許請求の範囲】
【請求項１】
高さを有する容器(１)の側面下方の一部に開口部（１a ）を設け、該容器(１)を置く受け皿となる容器(２)とからなり、吸水性に富み、しかも水分を放出し易い素材のカバー(３)を容器(１)に被せ全体をすっぽり覆い、カバーの裾は容器(２)の水面に達するカバーであり、容器(１)容器(２)には液体を入れてなる加湿器。
【発明の詳細な説明】
【技術分野】
【０００１】
本発明は、簡易加湿器である。冬季は暖房を入れるため室内は乾燥するので風邪をひきやすく又喉を痛めがちであるから加湿器が必要であるが、一般家庭では手が回らないのが実情である。本発明は簡単な装置でしかも電気などのエネルギーを必要としない環境に優しい自然気化の加湿器である。又冬季に限らず夏季においても、冷暖房機の近傍に置くことにより、一層効果が増すものである。高さを有する容器(１)の、側面下方の一部に開口部（１a ）を設け、該容器(１)を置く受け皿となる容器(２)とからなり、吸水性に富み、しかも水分を放出し易い素材のカバー(３)を容器(１)に被せ全体をすっぽり覆い、カバーの裾は容器(２)の水面に達するカバーであり、容器(１)容器(２)には液体を入れてなる加湿器に関するものである。
【背景技術】
【０００２】
以前より様々な加湿器があるが、一般家庭においては、各部屋に加湿器を設置するスペースもなく、部屋に濡れたタオルを吊るす、又は部屋の片隅に水を入れた容器を置くぐらいであった。又簡単な加湿器には下記の文献のものが挙げられる。
【特許文献１】登録実用新案番号  第３０８８７９９号
【０００３】
上記の文献は、エアコンの横にペットボトルを取り付けて水分を補給するものであり、当発明とは異なる。
【特許文献２】登録実用新案番号  第３０１６４０２号  上記の文献のものは、上方が開口し、底部に蒸発用の液体を収容したケーシング、その中に木炭の一端を浸積し、他端を大気中に露出する、とあり本発明とは異なる。
【特許文献３】登録実用新案番号  第３１３４３６９号  上記の文献のものもあるが当発明とは異なる。  従来からの加湿器においては、見えない部分のフィルターや水を入れるタンクにカビが発生し、不衛生になることもあった。
【発明の開示】
【発明が解決しようとする課題】
【０００４】
上記したものや近年に於いてはコンパクトな加湿器などあるが、本発明品のような衛生的であり、しかも各部屋に備えてもあまり費用が掛からない加湿器はなかった。
【課題を解決するための手段】
【０００５】
上記のような問題があったので、前述の目的を達成する為に、請求項１に示すように、高さを有する容器(１)の、側面下方の一部に開口部（１a ）を設け、該容器(１)を置く受け皿となる容器(２)とからなり、吸水性に富み、しかも水分を放出し易い素材のカバー(３)を容器(１)に被せ全体をすっぽり覆い、カバーの裾は容器(２)の水面に達するカバーであり、容器(１)容器(２)には液体を入れてなる加湿器を提供する。
【０００６】
容器(１)は液体を貯蔵するタンクで、側面下方の一部に開口部（１a ）を設けたものであり、開口部の高さ（容器１の底面から開口部の頂点までの長さ）は容器(２)の高さを超えてはならないものであり、上部に開口部があっても良いが、栓などで密閉できるものでなければならない、なぜなら下方以外の開口部から空気が入ったら容器(１)の液体は下方の開口部（１a ）から流れ出てしまうからである。容器(２)は、容器(１)の受け皿である。受け皿にも液体を入れるので、面積の広い方が気化する面が大きくなる。カバー(３)はフィルターの役目をするもので水分を吸収し易くしかも水分が気化し易い素材であれば良いのでタオル地等が適する。タオルをそのまま掛けても良いが、装飾にもなり楽しい方が良いので可愛い動物の形状等が好ましい、又例えば杉の木の形状等であっても良い。
【０００７】
使用方であるが、まず容器(２)の受け皿に水を適量入れておく、容器(１)の開口部から水を満たして、容器(２)の受け皿に載せる。次にカバー(３)の全体を水で濡らし、容器(１)の上から被せるのである。受け皿の水が容器(１)の下方の開口部よりも水位が低下したら、空気が入り、水が放出されて水位を保つのであるから、頻繁に補給する必要はない。
以上のようになっているので、カバーに吸水された水分が気化して空気中に湿度をもたらすのである。容器(１)の素材は合成樹脂でも焼きものであっても金属でも良く、又容器1自体を様々な形状にして上から濡らしたカバーを掛けると濡れているので、容器1に沿った形状になって面白い。又瓶のようなもので下方に開口部を設けたものでも良いが、上部の蓋はしっかり閉めて空気が入らないようにして水を入れればよい。夏季は容器(１)に水を入れ開口部を上にして冷蔵庫で冷凍したものを使用すると心地よい冷風を期待することが出来る。二、三日に一度ぐらい、各々の水を替え、カバーも取替えれば清潔である。カバーは洗濯して何度でも使用できる。
又容器(１)を容器ではなく海綿やスポンジ、綿等で可愛い、美しい物体を形成したものを濡らして、容器(２)に液体を満たして、その中に置き、上からカバー(３)を被せても良い。この場合は海綿やスポンジ等、の形状が出やすい薄い素材の通気性のあるものが望ましい。
【発明の効果】
【０００８】
本発明は、上記に説明したように、簡易な装置であるから、安価でしかも見えない所でカビなどが発生することもなく、自然気化によるものであるから環境にも優しく、体に優しい湿度が得られる。冬季は暖房に依る室内乾燥を防ぎ、夏季は容器(１)に水を入れ開口部を上にして冷蔵庫で冷凍したものを使用し、扇風機等の近傍に置けば湿度と心地よい涼風を得ることが出来る。持ち運びが容易で必要のない時は収納も簡単である
【発明を実施するための最良の形態】
【０００９】
以下に実施例を示す。
【実施例】
【００１０】
図1に示すものは、容器(１)であって。合成樹脂であっても焼きものでも金属でも良いが側面下方に開口部（１a ）を設けたものであり、開口部は容器(２)の高さを越えてはならない。下方に広がりをもつ形状が望ましい安定感があり持ち運びしやすく、尚カバー(３)が広がり水分の放出面が多くなるからである、上記したように動物の形や植物の形状の容器であっても良いが鮮明な姿は出ないので、三角推、立方体等でも良い。
【００１１】
図２に示すものは容器(１)が瓶の形状で口に蓋をしたものであり、側面下方に開口部を設けたものである。上部の蓋をしっかり閉めて空気が入らないようにする。
【００１２】
図３は容器(２)であって、容器(１)の受け皿であるが、この受け皿にも水を入れる。受け皿の水量が容器１の開口部（１a )より下がったら、空気が入って水が放出されるのでいつも受け皿には一定の水量を保つことが出来る。材質は合成樹脂であっても焼き物、金属、ガラスなど特に限定しない。
【００１３】
図４、図５は、カバーであって、水分を吸収しやすい素材が良く、タオル地が好ましいがスポンジでも良く、吸水性に富み気化し易い素材が適する。容器1自体が装飾的なものであれば、タオルを掛けただけでも良いが上部は乾燥しやすいのでたっぷり吸水できるようにする。
図示したものはフェイス用のタオル一枚で作ったカバーであって、タオルの中心に綿等の詰め物をいれて、頭部を作り耳と首のところを糸で縛ったもので、前後はタオルをそのまま垂らすようにする。1枚のタオルであるから一度濡らしておけば頭部まで水分が吸収され、下方から毛細管現象により、水が吸い上げられ乾くことなくスムースに気化されるのである。
【００１４】
図６は係止材であって、カバーの中心頭部の内側に取り付け、容器１の上部先端に着脱自在に被せる。図示はしていないが双方に面ファスナーや、磁石を取り付けて着脱自在に取り付けても良い。
【００１５】
図７はカバー頭部の内側、首のところが容器(１)との係止部である。そこに係止材（４）を取り付ける。係止材は容器(１)の先端に符号する形状のものである。又は頭のなかに、容器(１)の先端が収まるようにしても良く、頭部がしっかり固定し脱落しないようにするとよい。
【００１６】
図８は使用状態を示したものであ。設置する部屋や必要な湿度の量により容器(１)、(２)を大きくして、カバーもそれに見合う大きさにすれば良い。容器(１)が瓶状であれば裾広がりのものが望ましいが図(２)に示すような筒状のものであれば、図示はしていないが裾を広げるために裾広がりの螺旋状にしたスプリングをカバーの内側に置くと気化面が広がる。
【００１７】
２、３日に一度ぐらい水とカバーを取り替えることが望ましい、暖かい部屋では３日ぐらいすると受け皿の水が、ぬめってくる場合があるので、平成２０年１０月３日に私が特許出願した、出願番号３７４２４１８号は銅イオンの抗菌作用により水の腐敗防止になるので、受け皿に入れて置いたら、５日経ってもぬめりが生じなかった。
【産業上の利用可能性】
【００１８】
簡易で電気などのエネルギーを必要とせず、乳児や病人の部屋等でも安心して使用できるもので、しかも、カバーを図示した動物の顔や花等の形状にすればインテリアにもなり楽しいもので、子供でも喜んで水替えをして使用するものと思う。なお構造が簡単で商品化も容易であるから、社会に貢献できるものと確信する。
【図面の簡単な説明】
【００１９】
【図１】本発明、容器(１)の斜視図である。
【図２】本発明の容器(１)が筒状の瓶である斜視図。
【図３】本発明の容器(２)の斜視図である。
【図４】本発明カバーの実施例の一例である。
【図５】本発明カバーの実施例である。
【図６】カバーの内側、首のところに取り付ける係止材であって４の断面図である。
【図７】カバーの内側であって係止材４の平面図である。
【図８】本発明の使用状態を示すものである。
【符号の説明】
【００２０】
１・・・・容器１。
１a・・・・容器１の側面開口部。
２・・・・容器２。
３・・・・カバー。
４・・・・係止材。
【図１】
2011058672.tif 000003
【図２】
2011058672.tif 000004
【図３】
2011058672.tif 000005
【図４】
2011058672.tif 000006
【図５】
2011058672.tif 000007
【図６】
2011058672.tif 000008
【図７】
2011058672.tif 000009
【図８】
2011058672.tif 000010
【手続補正書】
【提出日】平成22年4月21日(2010.4.21)
【手続補正１】
【補正対象書類名】特許請求の範囲
【補正対象項目名】全文
【補正方法】変更
【補正の内容】
【特許請求の範囲】
【請求項１】
水補給容器(１)の側面下方の一部に容器(２)の高さを超えない開口部（１a ）を設け、該水補給容器(１)を載置可能な、水を蓄える受け皿となる容器(２)と、水補給容器(１)を覆うとともに周縁部が、上記受け皿の底部に達する大きさを有する吸水性部材(３)とからなり、吸水性部材と水補給容器(１)は、その頂上部(１b)において固定可能な係止材(４)を双方又は片方に備えた簡易加湿器。
【手続補正２】
【補正対象書類名】明細書
【補正対象項目名】全文
【補正方法】変更
【補正の内容】
【発明の詳細な説明】
【技術分野】
【０００１】
本発明は、簡易加湿器である。冬季は暖房を入れるため室内は乾燥するので風邪をひきやすく又喉を痛めがちであるから加湿器が必要であるが、一般家庭では手が回らないのが実情である。本発明は簡単な装置でしかも電気などのエネルギーを必要としない環境に優しい自然気化の加湿器である。又冬季に限らず夏季においても、冷暖房機の近傍に置くことにより、一層効果が増すものである。水補給容器(１)の側面下方の一部に容器(２)の高さを超えない開口部（１a ）を設け、該容器(１)を載置可能な、水を蓄える受け皿となる容器(２)とからなり、水補給容器(１)を覆うとともに周縁部が、上記受け皿の底部に達する大きさを有する吸水性部材(３)とからなり、吸水性部材と水補給容器(１)は、その頂上部(１b)において固定可能な係止材(４)を双方又は片方に備えたことを特徴とする。
【背景技術】
【０００２】
以前より様々な加湿器があるが、一般家庭においては、各部屋に加湿器を設置するスペースもなく、部屋に濡れたタオルを吊るす、又は部屋の片隅に水を入れた容器を置くぐらいであった。又簡単な加湿器には下記の文献のものが挙げられる。
【特許文献１】登録実用新案番号  第３０８８７９９号
【０００３】
上記の文献は、エアコンの横にペットボトルを取り付けて水分を補給するものであり、当発明とは異なる。
【特許文献２】登録実用新案番号  第３０１６４０２号  上記の文献のものは、上方が開口し、底部に蒸発用の液体を収容したケーシング、その中に木炭の一端を浸積し、他端を大気中に露出する、とあり本発明とは異なる。
【特許文献３】登録実用新案番号  第３１３４３６９号  上記の文献のものもあるが当発明とは異なる。  従来からの加湿器においては、見えない部分のフィルターや水を入れるタンクにカビが発生し、不衛生になることもあった。
【発明の開示】
【発明が解決しようとする課題】
【０００４】
上記したものや近年に於いてはコンパクトな加湿器などあるが、本発明品のような衛生的であり、しかも各部屋に備えてもあまり費用が掛からない加湿器はなかった。
【課題を解決するための手段】
【０００５】
上記のような問題があったので、前述の目的を達成する為に、請求項１に示すように、水補給容器(１)の側面下方の一部に容器(２)の高さを超えない開口部（１a ）を設け、該容器(１)を載置可能な、水を蓄える受け皿となる容器(２)と、水補給容器(１)を覆うとともに周縁部が、上記受け皿の底部に達する大きさを有する吸水性部材(３)とからなり、吸水性部材と水補給容器(１)は、その頂上部(１b)において固定可能な係止材(４)を双方又は片方に備えた簡易加湿器である
【０００６】
水補給容器(１)は水を貯蔵するタンクであり又、吸水性部材(３)の支柱でもある。側面下方の一部に開口部（１a ）を設けたものであり、開口部の高さ（容器１の底面から開口部の頂点までの長さ）は容器(２)の高さを超えてはならないものであり、上部に開口部があっても良いが、栓などで密閉できるものでなければならない、なぜなら上記以外の開口部から空気が入ったら容器(１)の水は下方の開口部（１a ）から流れ出てしまうからである。容器(２)は、水補給容器(１)の受け皿である。受け皿にも水を入れるので、面積の広い方が気化する面が大きくなる。吸水性部材(３)はフィルターの役目をするもので水分を吸収し易くしかも水分が気化し易い素材であれば良い。形状は装飾にもなり楽しい方が良いので可愛い動物や植物等が好ましい、又例えば杉の木の形状等であっても良い。
【０００７】
使用方であるが、まず容器(２)の受け皿に水を適量入れておく、水補給容器(１)の開口部を上にして、開口部から水を満たして、手で塞ぎ容器(２)の受け皿に、開口部を下にして載せる。次に吸水性部材(３)の全体を水で濡らし、容器(１)の上から覆い、係止材(４)で固定する。受け皿の水が容器(１)の下方の開口部よりも水位が低下したら、空気が入り、水が放出されて水位を保つのであるから、頻繁に補給する必要はない。以上のようになっているので、吸水性部材に吸水された水分や、容器２の受け皿の水が気化して空気中に湿度をもたらすのである。水補給容器１の素材は合成樹脂でも焼きものであっても金属でも良く、又水補給容器1自体を様々な形状にして上から濡らした吸水性部材を係止してもよい。濡れているので、容器1に沿った形状になって面白い。又瓶のようなもので下方側面に開口部を設けたものでも良いが、上部の蓋はしっかり閉めて空気が入らないようにして水を入れればよい。夏季は水補給容器(１)に水を入れ開口部を上にして冷蔵庫で冷凍したものを使用すると心地よい冷風を期待することが出来る。二、三日に一度ぐらい、各々の水を替え、吸水性部材も洗って何度でも使用できる。
【発明の効果】
【０００８】
本発明は、上記に説明したように、簡易な装置であるから、安価でしかも見えない所でカビなどが発生することもなく、自然気化によるものであるから環境にも優しく、体に優しい湿度が得られる。冬季は暖房に依る室内乾燥を防ぎ、夏季は容器(１)に水を入れ開口部を上にして冷蔵庫で冷凍したものを使用し、扇風機等の近傍に置けば湿度と心地よい涼風を得ることが出来る。持ち運びが容易で必要のない時は収納も簡単である
【発明を実施するための形態】
【実施例】
【０００９】
以下本発明の実施の形態を図示しながら説明する。
【００１０】
図1に示すものは、水補給容器(１)であって。合成樹脂であっても焼きものでも金属でも良いが側面下方に開口部（１a ）を設けたものであり、開口部は、容器(２)の高さを越えてはならない。下方に広がりをもつ形状が望ましい安定感があり持ち運びしやすく、吸水性部材が広がり水分の気化面が多くなるからである。動物の形や植物の形状の容器であっても良いが鮮明な姿は出ないので、三角推、立方体等で下方に開口部が必要である。
【００１１】
図２に示すものは水補給容器(１)が瓶の形状で口に蓋をしたものであり、側面下方に開口部を設けたものである。上部の蓋をしっかり閉めて空気が入らないようにする。
【００１２】
図３は容器(２)であって、水補給容器(１)の受け皿であるが、この受け皿にも水を入れる。受け皿の水量が水補給容器１の開口部（１a )より下がったら、空気が入って水が放出されるので、水補給容器１の水がなくなるまでいつも受け皿には一定の水量を保つことが出来る。材質は合成樹脂であっても焼き物、金属、ガラスなど特に限定しない。
【００１３】
図４、図５は、吸水性部材であって、水分を吸収しやすい素材が良く、タオル地が好ましいが、吸水性に富み気化し易い素材が適する。動物の形や植物の形状のものが可愛く面白い。吸水性部材(３)と水補給容器(１)は、その頂上部(１b)において固定可能な係止材(４)を双方又は片方に備えてしっかり固定できるようにする。上部は乾燥しやすいのでたっぷり吸水できるようにすると良い。
図示したものはフェイス用のタオル一枚で作った動物の形状にした吸水性部材3であって、耳や頭部に、タオルを裂いた綿等の詰め物をしっかり入れて糸で縛ったもので、前後はタオルをそのまま垂らしたものである。1枚のタオルであるから一度濡らしておけば毛細管現象により頭部まで水分が吸収され、乾くことなくスムースに気化されるのである。
【００１４】
図６は係止材であって、吸水性部材３の中心頭部の付け根、内側に取り付け、水補給容器１の上部先端に着脱自在に固定することが出来る。図示はしていないが双方に面ファスナーや、磁石を取り付けて着脱自在に取り付けても良い。
【００１５】
図７は吸水性部材3の頭部の内側、首のところが水補給容器(１)との係止部１b である。そこに係止材（４）を取り付ける。係止材4 は水補給容器(１)の先端(１b)に符号する形状のものである。又は頭のなかに、該水補給容器(１)の先端が収まるようにしても良く、頭部がしっかり固定し脱落しないようにするとよい。
【００１６】
図８は使用状態を示したものであ。設置する部屋や必要な湿度の量により水補給容器(１)、容器(２)を大きくして、吸水性部材３もそれに見合う大きさにすれば良い。水補給容器(１)が瓶状であれば裾広がりのものが望ましいが図(２)に示すような筒状のものであれば、図示はしていないが裾を広げるために裾広がりの螺旋状にしたスプリングを内側に置くと気化面が広がる。
【産業上の利用可能性】
【００１７】
簡易で電気などのエネルギーを必要とせず、乳児や病人の部屋等でも安心して使用できるもので、吸水性部材は図示した動物の顔や花等の形状にすればインテリアにもなり楽しいもので、子供でも喜んで水替えをして使用するものと思う。なお構造が簡単で商品化も容易であるから、社会に貢献できるものと確信する。
【図面の簡単な説明】
【００１８】
【図１】本発明、水補給容器(１)の斜視図である。
【図２】本発明  水補給容器(１)が筒状の瓶である斜視図。
【図３】本発明の容器(２)の斜視図である。
【図４】本発明、吸水性部材(３)の実施例の一例である。
【図５】本発明、吸水性部材(３)の実施例である。
【図６】吸水性部材(３)の内側、首のところに取り付ける係止材(４)の断面図である。
【図７】吸水性部材(３)の内側であって係止材(４)の平面図である。
【図８】本発明の使用状態を示すものである。
【符号の説明】
【００１９】
１・・・・水補給容器。
１a・・・・水補給容器の側面下方の開口部。
１b・・・・水補給容器1の頂上部。
２・・・・容器２。
３・・・・吸水性部材。
４・・・・係止材。
【手続補正４】
【補正対象書類名】図面
【補正対象項目名】全図
【補正方法】変更
【補正の内容】
【図１】
2011058672.tif 000011
【図２】
2011058672.tif 000012
【図３】
2011058672.tif 000013
【図４】
2011058672.tif 000014
【図５】
2011058672.tif 000015
【図６】
2011058672.tif 000016
【図７】
2011058672.tif 000017
【図８】
2011058672.tif 000018